(57)【要約】【課題】本発明の課題は、周辺部に比べ筆記部の高いコントラストを得ること、時間の経過があっても筆記しないところも筆記したところも変化しないで安定であること、携帯に便利な折りたたみ手段を有すること、定型書式を設けることが可能であることの特徴を有した筆記シートを実現することである。【解決手段】本発明では、第１の高屈折率で筆記用具の先端を押し当てたときに筆圧に応じて曲がる柔軟性と透明性を有する筆記体上層と、第２の高屈折率で吸着性または粘着性と光の反射又は光拡散性を有する筆記体下地層とを有し、前記筆記体上層と前記筆記体下地層が、両者の間に介在する薄い介在空気層を介して接していることを特徴として視認性を高め、スペーサで擬像を防止し、折りたたみ構成で携帯性を高め、定型書式の表示を可能としている。【選択図】図１
2009090529.tif 000002
【特許請求の範囲】
【請求項１】
第１の屈折率で筆記用具の先端を押し当てたときに筆圧に応じて曲がる柔軟性と透明性を有する筆記体上層と、
第２の屈折率で吸着性または粘着性と光の反射又は光拡散性を有する筆記体下地層とを有し、前記筆記体上層と前記筆記体下地層が、両者の間に介在する薄い介在空気層を介して接していることを特徴とする筆記シート。
【請求項２】
前記筆記体上層は、赤、黄、緑のいずれかの薄い色を持つことで視認性を上げたことを特徴とする請求項１記載の筆記シート。
【請求項３】
第１の屈折率を１．５以上にしたことを特徴とする請求項１又は請求項２記載の筆記シート。
【請求項４】
前記筆記体上層と前記筆記体下地層の間にこれらの両層の接触を妨げるスペーサを介挿したことを特徴とする請求項１から請求項３のいずれか一つに記載の筆記シート。
【請求項５】
前記スペーサは、前記筆記体下地層と同じ色であるか、又は／及び非光拡散性であることを特徴とする請求項４記載の筆記シート。
【請求項６】
前記筆記体上層と前記筆記体下地層の間に、空気を通すエアパスを設け、前記エアパスの一部を前記筆記体上層より外側に導出した袋部を設けて、前記袋部を押すことで、前記エアパスに空気を送って脹らませることで、前記筆記体上層を前記筆記体下地層から分離することで、前記筆記体上層をめくりあげなくても筆記の消去を可能としたことを特徴とする。請求項１から請求項５のいずれか一つに記載の筆記シート。
【請求項７】
前記筆記体上層と前記筆記体下地層の少なくとも一方に切れ目又は窪みを設け、前記切れ目又は窪みの位置で折りたたみを可能とする柔軟層による第１の接続部を持つことで複数の部分に折りたたむことを可能としたことを特徴とする請求項１から請求項６のいずれか一つに記載の筆記シート。
【請求項８】
前記筆記体上層が書き込み部を抜いた把持枠に貼り付けられ、前記把持枠の一端側が前記筆記体下地層と第２の接続部で接続され、前記把持枠の反対側の他端が前記筆記体下地層と接続されず、第２の接続部を基軸として前記把持枠を開くことで前記筆記体上層を前記筆記体下地層から分離し筆記の消去を可能としたことを特徴とする請求項１から請求項７のいずれか一つに記載の筆記シート。
【請求項９】
筆記具の押圧により前記筆記された部分が筆記されない部分より明るいことで筆記ができる部分と筆記具の押圧によっても明るくならず筆記できない部分を有し、前記筆記できない部分には、前記筆記体下地層まで光の透過をさせないもので前記筆記体下地層を覆い、前記筆記体下地層を見えなくするか、又は、前記筆記体下地層自体で光の拡散性をなくすか又は、光を拡散しない光沢性樹脂テープ又は紙を貼るかのいずれかの処理を行ったこと、又は前記把持枠の部分は、不透明であるか又は前記筆記体上層をなくすることのいずれかを特徴とする請求項１から請求項８のいずれか一つに記載の筆記シート。
【請求項１０】
前記筆記できない部分は、予め決まった定型の書式又は文字、図形が記入又は印刷され、前記筆記ができる部分の筆記を消去した場合にも消去されないことを特徴とする請求項９に記載の筆記シート。
【請求項１１】
前記筆記できない部分と前記定型の書式又は文字、図形は、異なる色を有することで視認性を高めたことを特徴とする請求項１０に記載の筆記シート。
【請求項１２】
筆記シートを挟むための空間と前記空間を取り囲み、前記空間に置いた前記筆記シートが落ちないように保持する部材と、少なくとも前記部材の一端が開閉可能であることにより、前記筆記シートを前記空間に収納可能にした筆記シート保持具。
【請求項１３】
前記部材は、筆記具と消去具を置く場を有することを特徴とする請求項１２記載の筆記シート保持具。
【発明の詳細な説明】
【技術分野】
【０００１】
本発明は吸着性の表面を有し高屈折率、且つ反射（特に乱反射）性の基板上の高屈折率の透明シートを用いた筆記シートにおいて、特に表示誤差を防止する手段、折りたたみ手段、定型書式付設部を有するもの、及び、筆記シート保持具に関するものである。
【背景技術】
【０００２】
従来、暗色系の色の表面を有し、蝋のような密着特性を持つ被覆を施した紙面上に薄い灰色の半透明膜を載せた書き換え自在の筆記具が存在した。ペン先などで押し圧し、半透明膜が蝋面に密着した部分が上面からの光が下地の暗色の色で吸収と反射をして戻ってくるため、下地の暗色に見えることに対して、書き込まないところは、半透明膜と蝋の間に薄い空気層があるために光は、この界面で反射し、暗色の色とは別の明るさになるため、
筆記したところは暗色系の色、筆記しないところは明るい白の色でコントラストが付き、筆記したものが表示されるものであった。半透明膜を下地から剥がすと、全体が白に見えて、筆記したものが消えるものであった。このような筆記具は、筆記したところが、暗色系の色になるため、明るさをあげることができないという欠点を有している。従って、少し離してみると見にくいものであった。筆記していない部分は白色に見えるので、筆記したところをコントラストを持って作るには、暗色系の色に下地をせざるを得ない事情があった。ところで、このような筆記具と見た目の作用は同じであるが、全く違った原理による筆記具が上記の例と同様に従来から存在した。このタイプの筆記具の例として、特許文献１に見ることができる。この文献の記述では、紙製のベース板の表面に平滑面を形成し、その平滑面に軟質クリア樹脂製の着色クリアシートを被せたものである。この状態で着色クリアシートの表側を棒の先端など固いもので押圧すると、押圧された部分のシート裏面がベース板表面の平滑面に密着してこの部分だけ空気層がなくなるので、着色クリアシートの密着部分だけが鮮やかに発色して、その他の部分とは異なる色になる。尚、この中では、平滑面部はできるだけ鏡面が望ましいと記述されている。この中で作用が記述されているが、これを振り返ってみると、着色クリアシートの裏面とベース板の表面との間に極僅かな空間が存在する。従って、着色クリアシートを通過した光がベース板の表面の平滑面で反射しても、この反射光はシートの裏面で乱反射する。一方、棒やつめなどの固いものの先端で着色クリアシートの表面を局部的に押圧したところは、着色クリアシートがベース板表面の平滑面部に密着する。密着部は空気が消失してベース板での反射光がシートを通過して鮮やかに発色するとの説明である。作用の説明については問題があるが、このような筆記具には、以下に示す大きな克服すべき課題がある。この課題を克服しないと、安定な表示ができず、筆記しないところにも時間とともに擬似点や線や面があたかも筆記したごとく表れ、または、筆記した部分が次第に細くなって消失してしまう。書いた当時は良くても時間とともに汚い画面になってしまい使用に耐えなくなってしまうという欠点があった。
【特許文献１】特開平５−１１２０９３
【発明の開示】
【発明が解決しようとする課題】
【０００３】
上記のような事情から、解決しようとする課題は、周辺部に比べ筆記部の高いコントラストを得ること、時間の経過があっても筆記しないところも筆記したところも変化しないで安定であること、携帯に便利な折りたたみ手段を有すること、定型書式を設けることが可能であることの特徴を有した筆記シートを実現することである。
【課題を解決するための手段】
【０００４】
上記の課題を解決するための手段として、本発明による筆記シートでは、第１の屈折率で筆記用具の先端を押し当てたときに筆圧に応じて曲がる柔軟性と透明性を有する筆記体上層と、第２の屈折率で吸着性または粘着性と光の反射又は光拡散性を有する筆記体下地層とを有し、前記筆記体上層と前記筆記体下地層が、両者の間に介在する薄い介在空気層を介して接していることを特徴として視認性を高め、スペーサで擬像を防止し、折りたたみ構成で携帯性を高め、定型書式の表示を可能とすることで利便性を持たせている。以下、請求項に沿って説明する。
【０００５】
請求項１記載の発明は、筆記シートであって、第１の屈折率で筆記用具の先端を押し当てたときに筆圧に応じて曲がる柔軟性と透明性を有する筆記体上層と、第２の屈折率で吸着性または粘着性と光の反射又は光拡散性を有する筆記体下地層とを有し、前記筆記体上層と前記筆記体下地層が、両者の間に介在する薄い介在空気層を介して接していることを特徴とする。これにより筆記部のコントラストがよく視認性がよい筆記シートが実現できる。
【０００６】
請求項２記載の発明は、請求項１記載の筆記シートにおいて、前記筆記体上層は、赤、黄、緑のいずれかの薄い色を持つことで視認性を上げたことを特徴とする。
これにより、視認性が向上する。
【０００７】
請求項３記載の発明は、請求項１又は請求項２記載の筆記シートにおいて、第１の屈折率を１．５以上にしたことを特徴とする。
これにより、筆記性能を確保できる。
【０００８】
請求項４記載の発明は、請求項１から請求項３のいずれか一つに記載の筆記シートにおいて、前記筆記体上層と前記筆記体下地層の間にこれらの両層の接触を妨げるスペーサを介挿したことを特徴とする。これにより、擬像が防止できる。
【０００９】
請求項５記載の発明は、請求項４記載の筆記シートにおいて、前記スペーサは、前記筆記体下地層と同じ色であるか、又は／及び非光拡散性であることを特徴とする。これによりスペーサ部を目立たなくできる。
【００１０】
請求項６記載の発明は、請求項１から請求項５のいずれか一つに記載の筆記シートにおいて、前記筆記体上層と前記筆記体下地層の間に、空気を通すエアパスを設け、前記エアパスの一部を前記筆記体上層より外側に導出した袋部を設けて、前記袋部を押すことで、前記エアパスに空気を送って脹らませることで、前記筆記体上層を前記筆記体下地層から分離することで、前記筆記体上層をめくりあげなくても筆記の消去を可能としたことを特徴とする。これにより消去作業が簡単になる。
【００１１】
請求項７記載の発明は、請求項１から請求項６のいずれか一つに記載の筆記シートにおいて、前記筆記体上層と前記筆記体下地層の少なくとも一方に切れ目又は窪みを設け、前記切れ目又は窪みの位置で折りたたみを可能とする柔軟層による第１の接続部を持つことで複数の部分に折りたたむことを可能としたことを特徴とする。これにより携帯性が向上する。
【００１２】
請求項８記載の発明は、請求項１から請求項７のいずれか一つに記載の筆記シートにおいて、前記筆記体上層が書き込み部を抜いた把持枠に貼り付けられ、前記把持枠の一端側が前記筆記体下地層と第２の接続部で接続され、前記把持枠の反対側の他端が前記筆記体下地層と接続されず、第２の接続部を基軸として前記把持枠を開くことで前記筆記体上層を前記筆記体下地層から分離し筆記の消去を可能としたことを特徴とする。
これにより、消去作業が容易になるとともに、把持枠により筆記体上層が保護され擬像の形成を防止できる。
【００１３】
請求項９記載の発明は、請求項１から請求項８のいずれか一つに記載の筆記シートにおいて、筆記具の押圧により前記筆記された部分が筆記されない部分より明るいことで筆記ができる部分と筆記具の押圧によっても明るくならず筆記できない部分を有し、前記筆記できない部分には、前記筆記体下地層まで光の透過をさせないもので前記筆記体下地層を覆い、前記筆記体下地層を見えなくするか、又は、前記筆記体下地層自体で光の拡散性をなくすか又は、光を拡散しない光沢性樹脂テープ又は紙を貼るかのいずれかの処理を行ったこと、又は前記把持枠の部分は、不透明であるか又は前記筆記体上層をなくすることのいずれかを特徴とする。これにより定型書式の表示領域を確保できる。
【００１４】
請求項１０記載の発明は、請求項９に記載の筆記シートにおいて、前記筆記できない部分は、予め決まった定型の書式又は文字、図形が記入又は印刷され、前記筆記ができる部分の筆記を消去した場合にも消去されないことを特徴とする。これにより定型書式が表示できる。
【００１５】
請求項１１記載の発明は、請求項１０に記載の筆記シートにおいて、前記筆記できない部分と前記定型の書式又は文字、図形は、異なる色を有することで視認性を高めたことを特徴とする。これにより視認性がよくなる。
【００１６】
請求項１２記載の発明は、筆記シート保持具であって、筆記シートを挟むための空間と前記空間を取り囲み、前記空間に置いた前記筆記シートが落ちないように保持する部材と、少なくとも前記部材の一端が開閉可能であることにより、前記筆記シートを前記空間に収納可能としたことを特徴とする。これにより壁掛け等で利便性がよくなる。
【００１７】
請求項１３記載の発明は、請求項１２記載の筆記シート保持具において、前記部材は、筆記具と消去具を置く場を有することを特徴とする。
【発明の効果】
【００１８】
以上のように構成されているので、本発明による筆記シート及び筆記シート保持具は、視認性の向上、擬像の防止、携帯性の向上、定型書式の付加、消去性の向上を図った筆記シートとその保持具を提供することができる。
【発明を実施するための最良の形態】
【００１９】
本発明による筆記シートの原理は、作用の及ぼす結果を的確に表現できるものでなくてはならない。先ず作用を的確に説明する原理を図６で説明し、それに沿って実施例を用い本発明の提案を説明する。
【００２０】
図６は、本発明による筆記シートの動作原理を説明する図である。第１の屈折率の透明体６０１が第２の屈折率の下地層６０２を覆っている。第２の屈折率の下地層６０２は透明であって、下に白色系の反射層６０３（特に乱反射する方がよいので、特許文献１の説明でいう「鏡面がよい」ということに反して光拡散性の面（細かいぎざぎざの面）がよい）を有するか、第２の屈折率の下地層６０２と白色系の反射層６０３が一体形成されていても良い。例えば、第２の屈折率の白色の一つの層であってもよい。第２の屈折率の下地層６０２の表面は第１の屈折率の透明体６０１を押し付けたときに軽く吸着性があるほうがよい。第１の屈折率の透明体６０１は、単体で見ると、板状の端が特に明るく光っている。これは、第１の屈折率の透明体６０１の両側が空気（屈折率＝１）で囲まれているので、光ファイバーと同じように低屈折率／高屈折率／低屈折率のサンドイッチ構成になっているため、表面や端から第１の屈折率の透明体６０１に入った光のかなりの部分が、第１の屈折率の透明体６０１と空気との界面で全反射を起こし、空気側に出ずに、第１の屈折率の透明体６０１の中を反射しながら伝わる割合が多くなるためである。そのため、端では、多くの光が集合して出てくるため特に明るくなっているのがこの第１の屈折率の透明体６０１の特徴である。光が伝播するには、当然透明性を持つことが必要である。第１の屈折率の透明体６０１が図６のように第２の屈折率の下地層６０２を被覆している状態では、その間に介在空気層６０４が存在する。又、第１の屈折率の透明体６０１の外側には外気による空気層６００が存在する。筆記の押圧がされていない状態は、この介在空気層６０４が存在することに相当している。この部分Ａでは、上記の低屈折率／高屈折率／低屈折率のサンドイッチ構成と同じであるので、第１の屈折率の透明体６０１の上部や端から入った光は、全反射により第１の屈折率の透明体６０１の中に閉じ込められる割合が多くなる。また、全反射の条件をま逃れた角度（垂直に近い方向から）で入射した光は下地に届き、ここの細かい凹凸の光拡散面での乱反射により、全方位の方向に反射して第１の屈折率の透明体６０１に再度入射する。全方位の乱反射のために角度が斜めになった部分は第１の屈折率の透明体６０１の中で更に全反射して、光はますます第１の屈折率の透明体６０１の中を伝播するようになって第１の屈折率の透明体６０１の端から光が明るく出ている現象になる。筆記された押圧を受けた領域Ｂは、介在空気層６０４がなく、第１の屈折率の透明体６０１は、第２の屈折率の下地層６０２についている状態である。第２の屈折率の下地層６０２も高屈折率であるので、上または周りから伝播してきた光はここで全反射できずに第２の屈折率の下地層６０２側に光が抜けることになる。抜けた光は、反射層６０３で乱反射して第１の屈折率の透明体６０１に戻り、これを抜けて表面に出てくる。特に周りから全反射してＢ領域に伝播して来た光は、Ｂ領域がなければ、そのままの第１の屈折率の透明体６０１を横に伝播してゆくはずのものが、このＢの領域があるためにここで下地に反射され上側に抜けてしまうことになる。Ｂの領域に上から入った光よりはるかに多い光が周りから得られるため、Ｂ領域は特に明るくなることになる。これが、この筆記具の動作原理である。そのための条件として、下地は鏡面ではなく光拡散性の細かい凹凸面がよく、空気より高い屈折率を有し、上層は筆記の押圧に追随する柔軟性と光を伝播する透明性と、空気中では光を全反射し光を横に伝播する高屈折率を有し、下地と上層は弱い吸着性があることが好都合となる。特に第１の屈折率の透明体６０１と第２の屈折率の下地層６０２の密着を上げ、光を反射するには、第２の屈折率の下地層６０２に吸着性を付加するために粘着材を表面に被覆又は、マイクロ凹凸構造による吸着部を表面に有することが最も好ましい。粘着材は、下地の反射層とあいまって、そのものも光を乱反射するため、反射光が明るくなるので、もっともコントラストが取れる好ましいものである。
ちなみに、実際の屈折率の例で、全反射の臨界角を計算して示すと以下のようになる。空気の屈折率n0＝１、第１の屈折率の透明体６０１の屈折率の例としてn=１．５、第２の屈折率の下地層６０２の屈折率の例としてn=１．５（空気の屈折率１よりも大きければ、大きいほど良い）とすると、光が第１の屈折率の透明体６０１から介在空気層６０４に入射したとき、この界面で全反射する臨界角θは、
θ＝ｓｉｎ−１（√（２（ｎ−ｎ0）／n）＝ｓｉｎ−１（√（２（１．５−１）／１．５）＝ｓｉｎ−１（√０．６）＝ｓｉｎ−１（√０．７７４）＝５０．８°
従って、この光が外気の空気層から入射角αで第１の屈折率の透明体６０１に入射し、屈折角βで屈折したものであるとしたときの、屈折角βは、
β＝９０−５０．８＝３９．２°
入射角αは、n0×ｓｉｎα＝n×ｓｉｎβから
ｓｉｎα＝１．５×ｓｉｎ３９．２＝０．９８４
従って、α＝７１．４°
このαより大きい角度で入射する光は、第１の屈折率の透明体６０１の中を全反射しながら横に伝わる。これより小さな入射角で入射した光は、第２の屈折率の下地層６０２に抜けたあと、第２の屈折率の下地層６０２以下の反射層で乱反射した後、第１の屈折率の透明体６０１に戻った後、全反射する成分が増加して、外気側に出てくる光が少なくなるので、この領域は比較的暗いことになる。
下地層の乱反射特性を弱めると、この部分は押圧しても、筆記した部分のような集光した明るさは得られないで、介在空気層６０４がある部分とほぼ同じ明るさの状態となる。
従って、これを利用すると、この領域の下地層上部に予め文字を書いておくと、定型書式を与えることができ、書き込みたい部分のみ、乱反射特性を与えておくことで、これが達成できる。
【００２１】
図１は、本発明による筆記シートの一実施態様を示す図である。１−Ａは、スペーサが無いタイプであり、１−Ｂはスペーサがあるタイプである。両者とも斜視図で示しているが、層の積み上げ状態が分かるように一部を断面（右側の拡大部）で示している。１−Ａにおいて、筆記シートには筆記体上層１０１と筆記体下地層１０２とこの間に挟まれた介在空気層１０３が存在する。筆記体上層１０１は、第１の屈折率で筆圧に応じて曲がる柔軟性と透明性を有している。目による視認性を上げるため、黄色や緑色の薄い色をつけると好都合である。筆記体下地層１０２は、第２の屈折率で吸着性または粘着性と光の反射、特に光拡散性（乱反射性）を有する層であって、筆記体上層１０１は、筆記体下地層１０２を覆うように配置され、両者の間には、極微小な間に存在する介在空気層１０３が存在しているのである。筆記体上層１０１を筆記体下地層１０２から剥がした状態から、覆った状態に戻した場合には、意図せずとも介在空気層１０３が存在することになる。指やペン先のようなもので、筆記体上層１０１を筆記体下地層１０２に押し付けた場合には、介在空気層１０３が無くなって両者が密着し、筆記体上層１０１を移動してきた光は、全反射せずに筆記体下地層１０２に抜け、筆記体下地層１０２で乱反射して、筆記体上層１０１に抜けて、図６で説明したように非常に明るい状態で光を目で捉えることができる。このため、押圧したところが筆記された部分として、他と区別できるわけである。１−Ｂは、１−Ａより更に筆記の擬像（筆記していないところにできるノイズ的像）をなくすために、筆記体上層１０１と筆記体下地層１０２の間に部分的にスペーサ１０４をいれたものである。擬像は、筆記体上層１０１と筆記体下地層１０２の主に皺等の凹凸により発生し、凹凸に押されて、筆記体上層１０１と筆記体下地層１０２が部分的に密着し、筆記されていないところでも、明るい像となってしまうところである。特に筆記体上層１０１は筆記したときに柔軟に筆圧に応じて曲がる必要があり、又、擬像を生じにくくするためにも、柔軟性をあげるため厚みを薄くした方がよい。余り薄いと、筆記体上層１０１のみで皺ができやすく、破損しやすくなり、通過する光が少なくなって筆記部の明るさも小さくなるので、適度な範囲の厚みにするのがよい。スペーサ１０４は、適当な間隔ごとに適当な厚みと幅で付設する。スペーサ１０４の役割は、これがあると筆記体上層１０１を押し上げる作用があるので、スペーサ１０４の近傍では筆記体上層１０１が特に押し上げて、筆記体上層１０１が筆記体下地層１０２に付着しにくくなる。スペーサ１０４が厚いと、その近傍では、付着しにくいだけでなく、筆記もできなくなる。スペーサ１０４の厚みを適度にすると、筆記しないときは、筆記体上層１０１が筆記体下地層１０２に付着せず、筆記したところのみ、付着するようになるため、１−Ａに比べ１−Ｂでは擬像ができにくい。スペーサ１０４は、何でもよいが、筆記の連続性に影響しないため、幅は、０．２ｍｍ以下が好ましい。厚みは、０．１ｍｍ以下が好ましい。尚、筆記体上層１０１は柔軟性を考慮して、０．４ｍｍから０．０５ｍｍ、特に０．２５ｍｍから０．１ｍｍの厚みが好ましい。スペーサ１０４は、目立たないためには、下地と同じ色が好ましい。尚、当然であるが、スペーサ１０４部で筆記体上層１０１が密着して光るとこれも擬像になるので、ここを光らなくするためには、スペーサ１０４の下では、筆記体下地層１０２に光が届かない方がよく、例えば、光沢のある白色ビニルテープのような非光拡散性のものでスペーサ１０４が用意されることがよい。以上のような筆記シートにおいて、筆記の良し悪しは、周辺との明るさの差（コントラスト）として評価できるので、これを良くするには、筆記体上層１０１が筆記体下地層１０２の屈折率が高いこと、筆記体上層１０１が透明で黄色、緑、赤等の薄い色が付いていること、筆記体上層１０１の柔軟性または厚みに加えて、像の時間的安定性を持つには更に筆記体下地層１０２の適度な吸着性又は粘着性、筆記体下地層１０２の光拡散性が重要である。粘着性が強く、筆記体上層１０１の厚みが大きく（０．５ｍｍ程度）筆記体上層１０１の柔軟性が乏しい場合には、細いペンで記述しても、周辺も引かれて吸着し、太い筆記線となってしまう。結果として弱粘着性の方が好都合であった。筆記体下地層１０２は、第２の屈折率で吸着性または粘着性と光の反射、特に光拡散性（乱反射性）を有する層であったが、この構成としては、種々の形態が取れる。１−ｃ−１では、これらの諸特性を一体物が持つ場合である、すなわち、第２の屈折率の素材でできていて、表面にマイクロな穴を有する多数の吸引パッドを持つ、又は、静電気の引力で密着性を有する、素材表面の白色の疎面による光拡散性を有する場合であり、複数の層に分けられない場合である。１−ｃ−２は、以上の吸着又は粘着層１０５を別の層とした被覆した場合であり、粘着層１０５が高屈折率、光拡散性を持ってもよいし、透明で下地層１０６が光拡散性をもってもよい。１−ｃ−３では、更に高屈折率層１０７を付加した場合である、下地層１０８は光拡散性を持てばよい。１−ｃ−４では、更に光拡散性の薄い下地層１０８の下に強度補強のための厚みのある補強層１０９を設けてある。下地層が堅固であるためには、いずれかの層が強いことが必要である。下地層が柔軟であると、机等の上の固いところにおかないと筆記できないことになる。尚、屈折率については、空気の屈折率に比較して反射が決まるので、第１の屈折率、第２の屈折率とも１．５程度でよい。屈折率は高い方がよい。因みに、透明性で、柔軟性（軟質）のある素材で適当な屈折率を有する主なものとして、塩化ビニル（屈折率１．５１）が使用できる。尚、一般には、１−Ａ、１−Ｂのように、筆記シートの右端下で筆記体上層１０１をめくりあげた状態を示しているが、筆記したものを消去するためには、筆記体上層１０１を筆記体下地層１０２からめくりあげて、又被覆するように戻し、二つの層の間に介在空気層１０３を持たせることである。
【００２２】
図２は、本発明による筆記シートの別の実施態様を示す図である。
筆記体上層１０１と筆記体下地層１０２の間に、空気を通すエアパス２０１を通し、このエアパス２０１の一部を筆記体上層１０１より上に導出した袋部２０２を設けて、この袋部を押すことで、エアパス２０１に空気を送り（脹らまし）、そのことで、筆記体上層１０１を筆記体下地層１０２から分離することで、筆記体上層１０１をめくりあげなくても筆記を消去できるようにしたものである。この例では、スペーサがあるものに適用しているが、スペーサの有無に関係なく適用ができる。
【００２３】
図３は、本発明による筆記シートの別の実施態様を示す図である。折りたたみがしやすくポケットなどに入れて持ち歩くためのものである。３−Ａでは、縦と横に折りたためるように、筆記体下地層１０２に十字に切れ目をいれ、各々が筆記体下地層１０２の下で柔軟に繋がるように連結層３０１を設けたものである。３−Ａでは筆記体上層１０１は１枚であるが、３−Ｂでは、３−Ａの状態に加え、筆記体上層１０１が４枚別々に設けられている。従って、折りたたみによっても筆記体上層１０１の部分は曲げないでよいので、
擬像ができにくい。３−Ｃは４つ折であるが、横または縦の１つの方向に複数折る場合を示している。この場合も筆記体上層１０１を１枚にする場合と、４枚分離して作成する場合がある。尚、図で右端下の斜め線部又は楕円部は、筆記体上層１０１のめくり上げを補助する部分である。３−Ｄは、同様に４つ折ができるものであるが、この例では、筆記体上層１０１が適度な厚み（好ましくは０．３０〜１．５ｍｍ）の書き込み部を抜いた把持枠３０２に貼り付けられ（下側に貼り付けが好ましい）、この把持枠３０２の一端側３０３が筆記体下地層１０２と接続部３０４で接続されていて、この接続部３０４を基軸として、把持枠３０２を矢印方向に回転するように開くことで、把持枠３０２が筆記体下地層１０２から離れ、結果として把持枠３０２と一緒に筆記体上層１０１が筆記体下地層１０２から剥がれて、筆記したことが消去される。この構造では、筆記体下地層１０２に折りたたみを容易にするため窪み部３０５を設け、その接続した折りたたみ基部３０６を柔軟に構成している。このため、筆記体上層１０１がある方向に折りたたみできる。そうすると、折りたたんだ状態では、把持枠３０２同士が接触し、筆記体上層１０１は、他の押し圧を受けない状態に格納されるため、筆記したことが保持される。また、筆記体上層１０１が皺にならずに劣化しないので、擬像の発生も防止することができる。この構造は、安定な筆記構造を保つためには、特に重要なものとなる。尚、筆記体上層１０１が把持枠３０２に貼り付けられている例を図では示したが、把持枠３０２の1辺の内側のみに筆記体上層１０１の一端を貼り付けておくことも可能である。そうすると、把持枠３０２はそのままにして、筆記体上層１０１のみを捲りあげることが可能である。尚、上記の把持枠３０２の構成は、３−Ｄの折りたたみのものに適用できる以外に、図１、図２の折りたたみが無いものにも適用できることは明らかである。
【００２４】
図４は、本発明による筆記シートの別の実施態様を示す図である。定型書式を持たせた場合である。製造現場などでは、既にある部分が決まったこととして定型で書き込まれ、定型以外の部分のみ書いた方が便利であるので、定型部は既設で作成しておきたいことが多い。４−Ａでは、例えば、このシートの題名が「ＫＹボード」として上に、それ以外に、文書の識別番号に記述部として「ｎｏ」、他に「記録者名」、「年月日」、「仕入先」他の項目がすでに記述してあり、この部分は、筆記体上層１０１をめくり上げても消去できないように構成してある。これらの定型部は点線枠部４０１で示すように、この部分は、押圧によっては書き込みができない領域となっている。点線枠部４０１の外側に領域は、以上に示した筆記体上層１０１と筆記体下地層１０２とこの間に挟まれた介在空気層１０３の構成になっているので、筆圧による書き込みができる。例えば、記録者名の横のスペースには、記録者の名称を書くことができる。ところが、点線枠部４０１は、筆圧を掛けても光らない構成にしてあるので、書き込みはできない。この部分は例えば次のようにして作ることができる。光らないためには、筆記体下地層１０２を見えなくするか、この場所の筆記体下地層１０２の光の拡散性を変えればよい。勿論他の特性を変えてもよいが、光の反射に関係する部分が一番効果がある。従って、手段の例として、筆記体下地層１０２そのものを変えてもよいが、簡単には、筆記体下地層１０２の上に、光を乱反射しない光沢性テープ、通常の紙を貼ってもよい。この上に定型の文字、例えば、「記録者名：」等を印刷してあれば、この文字は、筆記部の消去にかかわらずいつでも消えることはない。又、この部分は光らないので、押圧しても書き込めない。この部分の色としては、白でも黒でも赤でも各種の色を採用でき、印刷の文字はそれとはコントラストが取れる色をとればよい。例えば、白のテープに黒文字で印刷してあるものを貼り付けた場合は、白色部は筆記体上層１０１の薄い色が付いて見え、文字は黒に見える。周辺の記入部は筆記体上層１０１の薄い色で明るく光って記入したことが見える。筆記体上層１０１をめくりあげて戻せば、記入部のみ消えるのは上記の通りである。４−Ｂは３−Ｃの折りたたみ可能なシートに定型の記入部を設けた例である。筆記体上層１０１は１枚となっているが、前述のように、折りたたみの各部に別々に複数の筆記体上層１０１を設けると好都合なことが多い。各部のみでも消去できること、擬像が生じにくいことなどの利点がある。４−Ｃでは、３−Ｄの構成を用いた構成であり、把持枠３０２を広くして定型書式の表示部４０２を設けたものである。定型書式は印刷、書き込み、貼り付けなどで各種の手段で可能である。又、把持枠３０２や定型書式の表示に色わけすることは表示を見やすくする手段となる。
【００２５】
図５は、本発明による筆記シートを壁などに保持するに好都合な筆記シート保持具の一実施態様を示す図である。５−Ａでは、左側部材５０１、右側部材５０２、下側部材５０３、上側部材５０４があり、これら部材の形状によって、筆記シートを挟むための空間５０６が形成されている。空間を分かりやすくするため、斜線部で示しているが、筆記シートが落ちないように、下側は部材により閉じられた形状になっていて、空間５０６は、上側部材側まであって、上側部材の下まで伸びている。右側部材は、回転軸５０５の周りに開くようになっているので、ここを開いて筆記シートを空間５０６に収納することができる。上側部材についた壁掛け具５０７を用いて、壁のフックにかけることができる。アクセサリーを置く場として、筆記具置き場５０８、消去具置き場５０９等がある。消去具は、部分的に消去ができるように、吸引による消去具が好ましい。これは、簡単には、例えば球状のゴム袋に細い円筒で先端に小孔を有するブロワー（例えば、写真などのごみを吹き払うもの）を空気を吸うほうに使用することで、吸引力を得て、小孔の部分の筆記体上層１０１を吸い上げて、筆記体下地層１０２から離すことで、筆記部を部分的に消去できる。５−Ａは、明るい部屋で室内光を得ることに対応しているので、照明光源をもたないが、５−Ｂでは、暗い部屋で室内光が無いところで使用するため、照明光源５１０とこれをON／ＯＦＦするためのスイッチ５１１を持っている。
【産業上の利用可能性】
【００２６】
以上の様に、本発明による筆記シートは、従来の筆記シートより高いコントラストが得られ、擬像が防止でき、折りたたみにより携帯に便利で、定型書式の書き込みを可能としていて、更に筆記シート保持具により工場等の壁などに付設できるので、製造現場、工事現場、事務所、教育現場などに利用して便利であるので、産業上大きな利用性を有している。
【図面の簡単な説明】
【００２７】
【図１】本発明による筆記シートの一実施態様を示す図である。
【図２】本発明による筆記シートの別の実施態様を示す図である。
【図３】本発明による筆記シートの別の実施態様を示す図である。
【図４】本発明による筆記シートの別の実施態様を示す図である。
【図５】本発明による筆記シートを壁などに保持するに好都合な筆記シート保持具の一実施態様を示す図である。
【図６】本発明による筆記シートの動作原理を説明する図である。
【符号の説明】
【００２８】
１０１  筆記体上層
１０２  筆記体下地層
１０３  介在空気層
１０４  スペーサ
１０５  粘着層
１０６、１０８  下地層
１０７  高屈折率層
１０９  補強層
２０１  エアパス
２０２  袋部
３０１  連結層
３０２  把持枠
３０３  一端側
３０４  接続部
３０５  窪み部
３０６  折りたたみ基部
４０１  点線枠部
４０２  定型書式の表示部
５０１  左側部材
５０２  右側部材
５０３  下側部材
５０４  上側部材
５０５  回転軸
５０６  空間
５０７  壁掛け具
５０８  筆記具置き場
５０９  消去具置き場
５１０  照明光源
５１１  スイッチ
６００  空気層
６０１  第１の屈折率の透明体
６０２  第２の屈折率の下地層
６０３  反射層
６０４  介在空気層
【図１】
2009090529.tif 000003
【図２】
2009090529.tif 000004
【図３】
2009090529.tif 000005
【図４】
2009090529.tif 000006
【図５】
2009090529.tif 000007
【図６】
2009090529.tif 000008